(57)【要約】【課題】吊上げ用のボルト部材を容易且つスムーズに取り付けて、住宅ユニットの吊上げ作業を迅速に行うことを可能にするユニット吊上げ連結金具を提供する。【解決手段】住宅ユニット１０に取り付けて吊上げ用又は連結用に使用されるユニット吊上げ連結金具１４であって、住宅ユニット１０の上枠部材１６の下面に沿って設けられ、上枠部材１６に挿通孔３４を介して挿通される下方ボルト部材２３が一体固定されたベースプレート部材２４と、下方ボルト部材２３の雄ネジ部２５に螺合される雌ネジ部を内周面に備える筒状ナット部２６、及び筒状ナット部２６の上方に一体固定された雄ネジロッド部１８からなる上方ボルト部材１７とからなり、予め上枠部材１６に取り付けられたベースプレート部材２４の下方ボルト部材２３に上方ボルト部材１７を螺合装着することにより、雄ネジロッド部１８を上枠部材１６の上方に突出させる。【選択図】        図４
2004162276.tif 000002
【特許請求の範囲】
【請求項１】
住宅ユニットに取り付けて当該住宅ユニットの吊上げ用に、又は上下の住宅ユニットの連結用に使用されるユニット吊上げ連結金具であって、
前記住宅ユニットを構成する上枠部材又は下枠部材の下面に沿って設けられ、前記上枠部材又は下枠部材に挿通孔を介して挿通される下方ボルト部材が一体固定されたベースプレート部材と、前記下方ボルト部材の雄ネジ部に螺合される雌ネジ部を内周面に備える筒状ナット部、及び該筒状ナット部の上方に一体固定された雄ネジロッド部からなる上方ボルト部材とからなり、
予め前記上枠部材又は下枠部材に取り付けられた前記ベースプレート部材の下方ボルト部材に前記上方ボルト部材を螺合装着することにより、前記雄ネジロッド部を前記上枠部材又は下枠部材の上方に突出させることを特徴とするユニット吊上げ連結金具。
【請求項２】
前記上方ボルト部材の筒状ナット部は、その外周面が正６角形の断面形状を有している請求項１に記載のユニット吊上げ連結金具。
【請求項３】
前記ベースプレート部材は、これの端縁部からＬ字形状に垂直に折曲がって延設される垂直プレート部を備え、前記ベースプレート部材は、前記住宅ユニットの縦枠部材の上端部側面に前記垂直プレート部を添設固定しつつ、前記上枠部材の下面に沿って設けられる請求項１又は２に記載のユニット吊上げ連結金具。
【請求項４】
前記ベースプレート部材の垂直プレート部が垂直に折曲がって接合された状態を補強する垂直補強リブが、前記ベースプレート部材の側縁部と前記垂直プレート部の側縁部とに跨って取り付けられている請求項３に記載のユニット吊上げ連結金具。
【請求項５】
請求項１〜４のいずれかに記載のユニット吊上げ連結金具を用いた吊上げ連結構造であって、
前記住宅ユニットを構成する上枠部材の下面に沿って前記ベースプレート部材を設けることにより前記上枠部材又は下枠部材に形成された挿通孔に挿通される下方ボルト部材の雄ネジ部に、ユニット住宅の建築施工現場において前記上方ボルト部材の筒状ナット部を螺合装着することにより、前記雄ネジロッド部を前記上枠部材の上方に突出させ、
該上方に突出させた雄ネジロッド部に吊上げ係止部材を取り付けて、該吊上げ係止部材を介して住宅ユニットを吊上げ、又は該上方に突出させた雄ネジロッド部を上方の住宅ユニットに取り付けた上方連結金具に連結して、上下の住宅ユニットを連結することを特徴とするユニット吊上げ連結構造。
【発明の詳細な説明】
【０００１】
【発明の属する技術分野】
本発明は、住宅ユニットに取り付けられて当該住宅ユニットの吊上げ用に、又は上下の住宅ユニットの連結用に使用されるユニット吊上げ連結金具、及び該吊上げ連結金具を用いたユニット吊上げ連結構造に関する。
【０００２】
【従来の技術】
近年、住宅建築物の施工の迅速化や高精度化を図るべく、予め工場等で形成された複数の住宅ユニットを建築施工現場で組み立てて構築するユニット住宅が開発されている。このようなユニット住宅においては、形成された各住宅ユニットを例えば運送用のトラック等に積み込んで建築施工現場に搬入し、例えばクレーン等の吊り上げ用の重機を用いて吊り上げて所望の位置に設置し、他の住宅ユニットと共に連結一体化することによってユニット住宅を組み立てる。
【０００３】
一方、建築施工現場に搬入された住宅ユニットの吊上げ作業は、一般に、ユニット住宅を構成する壁枠組や床枠組等の枠組部材の適宜箇所に取付け金物を介して固定されたナット部材に、アイボルトの先端雄ネジ部を螺合することによって当該アイボルトを締着固定し、このアイボルトのリング状の頭部に吊り上げ用のワイヤ等を係止して吊上げることによって行われていた（例えば、特許文献１、特許文献２参照）。また、上下の住宅ユニットを連結する作業は、例えば下方の住宅ユニットの上記枠組部材に固定されたナット部材に両ネジボルトの下端部を螺合し、これの上端雄ネジ部を枠組部材の上方に突出させて、当該上端雄ネジ部を上方の住宅ユニットに取り付けた上方連結金具に連結することによって行われていた。
【０００４】
【特許文献１】
特開平５−１４１００３号公報（図１）
【特許文献２】
特開平９−７８８４０号公報（図１〜図５）
【０００５】
【発明が解決しようとする課題】
上記従来のアイボルトによる吊上げ構造や両ネジボルトによる連結構造では、建築施工現場において住宅ユニットの壁枠組や床枠組等に固定されたナット部材にアイボルトや両ネジボルトを締着固定する作業に手間がかかり、迅速に吊上げ作業や上下の連結作業を行うことが困難だった。すなわち、ナット部材は、取付け金物を介して、吊上げ時の荷重や連結荷重を支持するのに効果的な、住宅ユニットの上部に配置される上枠部材の下面や、下部に配置される下枠部材の下面等に沿って配置される場合が多く、このように配置されたナット部材に対して、上枠部材や下枠部材の上方から、当該上枠部材や下枠部材を貫通して形成したボルト挿通孔を経てアイボルトや両ネジボルトの下端を締着固定する作業は、見えない所でこれらのボルト部材の下端を螺合する作業となるため、ボルト部材をスムーズに取り付けてゆくことが困難である。
【０００６】
また、工場等における住宅ユニットの製作時に、予めアイボルトや両ネジボルトの下端をナット部材に螺合させて取り付けておき、建築施工現場における吊上げ用のボルト部材又は上下連結用のボルト部材の取付け作業を省略させることも考えられるが、上枠部材から上方に突出するボルト部材の上端部分によって、住宅ユニットの高さ制限が制約されることになり、効率の良い高さで住宅ユニットを製作することが困難になると共に、これらのボルト部材の上端部分が運搬時に破損するおそれがある。
【０００７】
本発明は、このような従来の課題に着目してなされたものであり、吊上げ用又は上下連結用のボルト部材を容易且つスムーズに取り付けて、住宅ユニットの吊上げ作業や上下連結作業を迅速に行うことを可能にするユニット吊上げ連結金具及びユニット吊上げ連結構造を提供することを目的とする。
【０００８】
また、本発明は、住宅ユニットの高さを制約することなく、吊上げ用又は上下連結用のボルト部材を住宅ユニットに予め取付けて住宅ユニットを運搬することを可能にするユニット吊上げ金具及びユニット吊上げ構造を提供することを目的とする。
【０００９】
【課題を解決するための手段】
本発明は、住宅ユニットに取り付けて当該住宅ユニットの吊上げ用に、又は上下の住宅ユニットの連結用に使用されるユニット吊上げ連結金具であって、前記住宅ユニットを構成する上枠部材又は下枠部材の下面に沿って設けられ、前記上枠部材又は下枠部材に挿通孔を介して挿通される下方ボルト部材が一体固定されたベースプレート部材と、前記下方ボルト部材の雄ネジ部に螺合される雌ネジ部を内周面に備える筒状ナット部、及び該筒状ナット部の上方に一体固定された雄ネジロッド部からなる上方ボルト部材とからなり、予め前記上枠部材又は下枠部材に取り付けられた前記ベースプレート部材の下方ボルト部材に前記上方ボルト部材を螺合装着することにより、前記雄ネジロッド部を前記上枠部材又は下枠部材の上方に突出させることを特徴とするユニット吊上げ連結金具を提供することにより、上記目的を達成したものである（請求項１記載の発明）。
【００１０】
そして、本発明のユニット吊上げ連結金具によれば、前記上方ボルト部材の筒状ナット部は、その外周面が正６角形の断面形状を有していることが好ましい（請求項２記載の発明）。
【００１１】
また、本発明のユニット吊上げ連結金具によれば、前記ベースプレート部材は、これの端縁部からＬ字形状に垂直に折曲がって延設される垂直プレート部を備え、前記ベースプレート部材は、前記住宅ユニットの縦枠部材の上端部側面に前記垂直プレート部を添設固定しつつ、前記上枠部材の下面に沿って設けられることが好ましい（請求項３記載の発明）。
【００１２】
さらに、本発明のユニット吊上げ連結金具によれば、前記ベースプレート部材の垂直プレート部が垂直に折曲がって接合された状態を補強する垂直補強リブが、前記ベースプレート部材の側縁部と前記垂直プレート部の側縁部とに跨って取り付けられていることが好ましい（請求項４記載の発明）。
【００１３】
そして、本発明は、上記いずれかのユニット吊上げ連結金具を用いた吊上げ連結構造であって、前記住宅ユニットを構成する上枠部材の下面に沿って前記ベースプレート部材を設けることにより前記上枠部材又は下枠部材に形成された挿通孔に挿通される下方ボルト部材の雄ネジ部に、ユニット住宅の建築施工現場において前記上方ボルト部材の筒状ナット部を螺合装着することにより、前記雄ネジロッド部を前記上枠部材の上方に突出させ、該上方に突出させた雄ネジロッド部に吊上げ係止部材を取り付けて、該吊上げ係止部材を介して住宅ユニットを吊上げ、又は該上方に突出させた雄ネジロッド部を上方の住宅ユニットに取り付けた上方連結金具に連結して、上下の住宅ユニットを連結することを特徴とするユニット吊上げ連結構造を提供することにより、上記目的を達成したものである（請求項５記載の発明）。
【００１４】
【発明の実施の形態】
以下本発明の好ましい実施形態を添付図面を参照しつつ詳細に説明する。本実施形態によれば、例えば枠組壁工法によるユニット住宅を構成する、予め工場等において製作された図１に示すようにな住宅ユニット１０を、建築施工現場において吊り上げて、他の住宅ユニットと接合一体化してユニット住宅を形成するべく所定の組立位置に設置する際に、或いは上下に連接される住宅ユニット１０を連結一体化する際に、本発明のユニット吊上げ連結金具及びユニット吊上げ連結構造を採用したものである。
【００１５】
本実施形態によれば、住宅ユニット１０は、例えば矩形形状の床パネル１１の一対の短辺部及び一方の長辺部から立設して壁パネル１２，１３が設けられるものであり、一対の短辺部から立設する壁パネル１２の上端部には、これの両端部分に配置されて、図２に示すように、本実施形態のユニット吊上げ連結金具１４が、壁パネル１２の壁枠組みを構成する縦枠部材１５及び上枠部材１６に固定して取り付けられている。また本実施形態によれば、住宅ユニット１０の吊り上げ時には、上枠部材１６の上方に突出させた吊上げ連結金具１４の上方ボルト部材１７の雄ネジロッド部１８に、ハット形断面支持金具１９とシャックル金具２０とからなる吊上げ係止部材２１を取り付け、この吊上げ係止部材２１に吊りワイヤ２２（図１参照）を係止して、当該吊上げ係止部材２１を介して吊りワイヤ２２により住宅ユニット１０を吊上げることができるようになっている。
【００１６】
そして、本実施形態のユニット吊上げ連結金具１４は、上述のように住宅ユニット１０に取り付けて当該住宅ユニット１０を吊上げる際に、或いは後述するように上下の住宅ユニット１０を連結一体化する際に使用する吊上げ連結金具であって、図３にも示すように、住宅ユニット１０を構成する上枠部材１６の下面に沿って設けられ、上枠部材１６に挿通孔３４を介して挿通される下方ボルト部材２３が一体固定されたベースプレート部材２４と、下方ボルト部材２３の雄ネジ部２５に螺合される雌ネジ部を内周面に備える筒状ナット部２６、及びこの筒状ナット部２６の上方に一体固定された雄ネジロッド部１８からなる上方ボルト部材１７とからなり、予め上枠部材１６に取り付けられたベースプレート部材２４の下方ボルト部材２３に上方ボルト部材１７を螺合装着することにより、雄ネジロッド部１８を上枠部材１６の上方に突出させるようになっている（図４参照）。
【００１７】
本実施形態のユニット吊上げ連結金具１４を構成するベースプレート部材２４は、例えば厚さ１〜１０ｍｍ程度の金属プレートを曲折加工することによって形成されるものであって、例えば幅１０〜１２０ｍｍ程度、長さ５０〜２００ｍｍ程度の大きさの矩形形状のベースプレート部２７と、該ベースプレート部２７の一短辺の端縁部から垂直に折れ曲がり、ベースプレート部２７と一体となってＬ字形状の断面を形成する、例えば幅１０〜１２０ｍｍ程度、長さ５０〜３００ｍｍ程度の大きさの矩形帯状の垂直プレート部２８とからなる。
【００１８】
また、本実施形態によれば、ベースプレート部材２４のベースプレート部２７の内側面（下面）には、当該ベースプレート部２７と略同様の大きさの中央プレート２９の両側縁部から垂直補強リブ３０が垂直に折り曲げて設けられたコの字断面補強部材３１が、中央プレート２９をベースプレート部２７に二重に重ねるように接合することによって取り付けられている。コの字断面補強部材３１は、両側の垂直補強リブ３０の各内側端面３２を、垂直プレート部２８の基端部分における側縁部に各々当接接合させることにより、垂直補強リブ３０が、ベースプレート部材２４のベースプレート部２７の側縁部と垂直プレート部２８の側縁部とに跨って取り付けられることになり、これによって、ベースプレート部２７に対して垂直プレート部２８が垂直に折曲がって接合された状態を強固に補強している。
【００１９】
さらに、本実施形態によれば、コの字断面補強部材３１の中央プレート２９の内側面（下面）には、下方ボルト部材２３のボルト頭部３３（図４参照）が例えば溶接等によって接合固定されており、これによって下方ボルト部材２３は、中央プレート２９及びベースプレート部２７を貫通すると共に、これらから垂直上方に突出した状態で、ベースプレート部材２４に一体固定されることになる。すなわち、ベースプレート部２７及びコの字断面補強部材３１の中央プレート２９に形成した連結孔に、中央プレート２９の内側面側から下方ボルト部材２３の雄ネジ部２５を貫通挿入すると共に、ボルト頭部３４を中央プレート２９に当接させた状態で溶接等を施すことにより、ベースプレート部２７と下方ボルト部材２３とが一体となったベースプレート部材２４が形成されることになる。またこのようにしてベースプレート部材２４に一体固定された下方ボルト部材２３は、例えば５０〜１５０ｍｍ程度の長さでベースプレート部２７から突出すると共に、上方の１０〜２５ｍｍ程度の長さの部分が、例えば１２ｍｍ程度のネジ径の雄ネジ部２５となっている。
【００２０】
なお、本実施形態によれば、ベースプレート部材２４の垂直プレート部２８、及び重ね合わされた中央プレート２９とベースプレート部２７には、適宜箇所に複数のビス孔３５が穿設されており、住宅ユニット１０を建築施工現場に搬入するのに先立って、予め工場等においてこれらのビス孔３５に固定ビス３６を打ち込むことにより、垂直プレート部２８は縦枠部材１５の上端部側面に沿って強固に添設固定されると共に、ベースプレート部２７は、上枠部材１６の下面に沿って強固に取り付けられることになる。
【００２１】
本実施形態のユニット吊上げ連結金具１４を構成する上方ボルト部材１７は、例えば１０〜２５ｍｍ程度の長さの雌ネジ部を内周面に備える長尺袋ナット形状の筒状ナット部２６の上端から、１０〜２５ｍｍ程度のネジ径の雄ネジロッド部１８を、３０〜５０ｍｍ程度の長さで上方に突出するように一体接合して形成されている。上方ボルト部材１７は、筒状ナット部２６を下方ボルト部材２３の雄ネジ部２５に螺合装着されることにより、下方ボルト部材２３と一体となった本実施形態のユニット吊上げ連結金具１４を形成することになる。
【００２２】
また、本実施形態によれば、筒状ナット部２６は、その外径が上枠部材１６に形成した挿通孔３４の内径よりも小さくなっていて、当該挿通孔３４の内部において、下方ボルト部材２３の雄ネジ部２５に装着することができるようになっている。また筒状ナット部２６は、その外周面が正６角形の断面形状となっており、インパクトレンチ等の公知の締付け装置を用いて、迅速かつ容易に下方ボルト部材２３の雄ネジ部２５に螺合する作業を行うことができるようになっている。
【００２３】
そして、本実施形態によれば、建築施工現場に搬入された住宅ユニット１０を吊り上げる際には、図４に示すように、住宅ユニット１０を構成する上枠部材１６の下面に沿って、工場等において予めベースプレート部材２４を取付け固定することにより上枠部材１６に形成された挿通孔３４に挿通された下方ボルト部材２３の雄ネジ部２５に、ユニット住宅１０の建築施工現場において上方ボルト部材１７の筒状ナット部２６を螺合装着することによって、雄ネジロッド部１８を上枠部材１６の上方に、例えば５０〜７０ｍｍ程度の長さで突出させる。
【００２４】
次に、上枠部材１６の上方に突出させた雄ネジロッド部１８に、上述のように吊上げ係止部材２１を取り付け（図２参照）、この吊上げ係止部材２１に吊りワイヤ２２（図１参照）を係止して、住宅ユニット１０の吊上げ作業を迅速に行うことが可能になる。すなわち、本実施形態によれば、上枠部材１６の挿通孔３４に予め挿通配置された下方ボルト部材２３に、上枠部材１６の上面側から上方ボルト部材１７を容易且つスムーズに締着固定し、雄ネジロッド部１８を上方に突出させることにより、住宅ユニット１０の吊上げ作業を迅速に行うことが可能になる。
【００２５】
また、本実施形態のユニット吊上げ連結金具１４は、上下に連接配置される住宅ユニット１０を連結一体化する際に用いることもできる。すなわち、例えば所定の位置に設置された下方の住宅ユニット１０から吊上げ係止部材２１を取り外した後、図５に示すように、上方に設置される住宅ユニット１０の下枠部材３７を下方に設置した住宅ユニット１０の上枠部材１６の上面に重ねて設置し、下枠部材３７の上方に突出する雄ネジロッド部１８を、上方の住宅ユニット１０に取り付けた連結金具３８と連結することにより、容易に上下の住宅ユニット１０を連結一体化してゆくことが可能になる。
【００２６】
ここで、上枠部材１６の上面からの雄ネジロッド部１８の突出長さは、上方ボルト部材１７を下方ボルト部材２３に対して相対的に回転させることにより、適宜容易に調節することが可能になる。また、例えば雌ネジ部が形成された筒状ナット部２６の内周面の深さを予め設定しておくことにより、筒状ナット部２６が回転しなくなるまで下方ボルト部材２３の雄ネジ部２５に螺合させて、上枠部材１６から雄ネジロッド部１８を予め定められた長さで精度良く突出させることが可能になり、これによって突出高さを調整する作業を省略させることも可能になる。
【００２７】
したがって、本実施形態によれば、上述のように、吊上げ用又は上下連結用に用いるユニット吊上げ連結金具１４を、予め取り付けられた下方ボルト部材２３の雄ネジ部２５に上方ボルト部材１７を螺合装着することにより、上方ボルト部材１７の雄ネジロッド部１８を上枠部材１６から所定の長さで上方に突出させた状態で容易且つスムーズに取り付けることができ、これによって住宅ユニット１０の吊上げ作業や上下連結作業を迅速に行うことが可能になる。
【００２８】
また、本実施形態によれば、ユニット吊上げ連結金具１４は、下方ボルト部材２３が一体固定されたベースプレート部材２４と、上方ボルト部材１７とに二分割された構成を備えており、ベースプレート部材２４のみを予め住宅ユニット１０に取り付けて住宅ユニット１０を運搬するので、ベースプレート部材２４の下方ボルト部材２３は、上枠部材１６の上方に殆ど突出することなく上枠部材１６の貫通孔３４に略納まることになるので、下方ボルト部材２３によって住宅ユニット１０の高を制約することなく、かつ下方ボルト部材２３を破損させることなく、住宅ユニット１０を効率良く運搬することが可能になる。
【００２９】
なお、本発明は上記実施形態に限定されることなく種々の変更が可能である。例えば、本発明は枠組壁工法による住宅ユニットに限定されることなく、在来軸組工法による住宅ユニット等、その他の種々の住宅ユニットに対して用いることができる。また、ベースプレート部材に垂直プレート部を延設させて用いる必要は必ずしもなく、例えば上枠部材の中間部分等において、縦枠部材に垂直プレート部を添設することなく、ベースプレート部材のみを上枠部材の下面に沿って設けて用いることもできる。さらに、垂直補強リブは必ずしも設ける必要はない。さらにまた、本発明のユニット吊上げ連結金具は、下枠部材に取り付けて、住宅ユニットの吊上げ作業に用いることもできる。
【００３０】
【発明の効果】
本発明のユニット吊上げ連結金具及びユニット吊上げ連結構造によれば、吊上げ用又は上下連結用のボルト部材を容易且つスムーズに取り付けて、住宅ユニットの吊上げ作業や上下連結作業を迅速に行うことができる。また、住宅ユニットの高さを制約することなく、吊上げ用又は上下連結用のボルト部材を住宅ユニットに予め取付けて住宅ユニットを運搬することができる。
【図面の簡単な説明】
【図１】本発明の一実施形態に係るユニット吊上げ連結金具及びユニット吊上げ連結構造が採用される住宅ユニットの吊上げ状況を説明する略示斜視図である。
【図２】本発明の一実施形態に係るユニット吊上げ連結金具に吊上げ係止部材を取り付けた状況を説明する部分拡大側面図である。
【図３】本発明の一実施形態に係るユニット吊上げ連結金具の構成を説明する斜視図である。
【図４】本発明の一実施形態に係るユニット吊上げ連結金具を上枠部材に取り付けた状況を説明する部分拡大側面図である。
【図５】本発明の一実施形態に係るユニット吊上げ連結金具を用いて上下の住宅ユニットを連結一体化する状況を説明する部分拡大側面図である。
【符号の説明】
１０  住宅ユニット
１４  ユニット吊上げ連結金具
１５  縦枠部材
１６  上枠部材
１７  上方ボルト部材
１８  雄ネジロッド部
２１  吊上げ係止部材
２２  吊りワイヤ
２３  下方ボルト部材
２４  ベースプレート部材
２５  下方ボルト部材の雄ネジ部
２６  筒状ナット部
２７  ベースプレート部
２８  垂直プレート部
３０  垂直補強リブ
３１  コの字断面補強部材
３３  下方ボルト部材のボルト頭部
３４  上枠部材の挿通孔
３８  連結金具
【図１】
2004162276.tif 000003
【図２】
2004162276.tif 000004
【図３】
2004162276.tif 000005
【図４】
2004162276.tif 000006
【図５】
2004162276.tif 000007